【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
符号化されたビデオビットストリーム中のスケーラブルネスティング補足強調情報（ＳＥＩ）メッセージから、前記スケーラブルネスティングＳＥＩメッセージによってカプセル化された各ネストされたＳＥＩメッセージが適用される複数の動作点を識別する複数のシンタックス要素を復号することを備え、ここにおいて、
前記符号化されたビデオビットストリームは、前記ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたネストされたいずれのＳＥＩメッセージ中にもなく、
前記複数の動作点の各それぞれの動作点について、前記それぞれの動作点に関連付けられたサブビットストリームは、前記符号化されたビデオビットストリームから、前記それぞれの動作点に関連付けられたそれぞれの時間識別子よりも大きい時間識別子をもつ任意のネットワーク抽象化レイヤ（ＮＡＬ）単位を除去すること及び前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、方法。
【請求項２】
前記複数のシンタックス要素は、複数のｎｅｓｔｉｎｇ＿ｏｐ＿ｉｄｘ[i]シンタックス要素を含み、前記方法はさらに、前記スケーラブルネスティングＳＥＩメッセージから、前記スケーラブルネスティングＳＥＩメッセージ内の前記ｎｅｓｔｉｎｇ＿ｏｐ＿ｉｄｘ[i]シンタックス要素の数−１を特定するシンタックス要素を復号することを備え、ここにおいて、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素は、前記複数の動作点のそれぞれの動作点に関連付けられたレイヤ識別子のそれぞれのセットを特定する、請求項１に記載の方法。
【請求項３】
前記１つ以上のネストされたＳＥＩメッセージは、仮想参照デコーダ（ＨＲＤ）パラメータのセットを含む、請求項１に記載の方法。
【請求項４】
前記スケーラブルネスティングＳＥＩメッセージから、前記スケーラブルネスティングＳＥＩメッセージによってカプセル化された、複数のネストされたＳＥＩメッセージを復号することをさらに備え、ここにおいて、前記ネストされたＳＥＩメッセージの各々は、前記複数のシンタックス要素によって識別される前記動作点のすべてに適用可能である、請求項１に記載の方法。
【請求項５】
前記複数のシンタックス要素を復号することは、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素に関連して、前記スケーラブルネスティングＳＥＩメッセージから、前記複数の動作点のそれぞれの動作点に関連付けられた最大時間識別子を示すそれぞれの変数を特定するために用いられるそれぞれの第２のシンタックス要素を復号することを備え、前記それぞれの変数は、前記それぞれの第２のシンタックス要素の値−１に等しく設定される、請求項２に記載の方法。
【請求項６】
前記複数のシンタックス要素を復号することは、
前記１つ以上のネストされたＳＥＩメッセージが適用される前記複数の動作点における少なくとも１つのそれぞれの動作点について、
前記スケーラブルネスティングＳＥＩメッセージから、第１のシンタックス要素と第２のシンタックス要素とを復号することと、
前記第１のシンタックス要素に少なくとも部分的に基づいて、前記それぞれの動作点の最大時間識別子を決定することと、
前記第２のシンタックス要素に少なくとも部分的に基づいて、前記それぞれの動作点のレイヤ識別子のセットを決定することとを備える、請求項１に記載の方法。
【請求項７】
機器であって、前記機器は、
ビデオデータを記憶するように構成された記憶媒体と、
１つ以上のプロセッサとを備え、前記１つ以上のプロセッサは、
符号化されたビデオビットストリーム中のスケーラブルネスティング補足強調情報（ＳＥＩ）メッセージから、前記スケーラブルネスティングＳＥＩメッセージによってカプセル化された各ネストされたＳＥＩメッセージが適用される複数の動作点を識別する複数のシンタックス要素を復号するように構成され、ここにおいて、
前記符号化されたビデオビットストリームは前記ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたいずれのネストされたＳＥＩメッセージ中になく、
前記複数の動作点の各それぞれの動作点について、前記それぞれの動作点に関連付けられたサブビットストリームは、前記符号化されたビデオビットストリームから、前記それぞれの動作点に関連付けられたそれぞれの時間識別子よりも大きい時間識別子をもつ任意のネットワークアブストラクションレイヤ（ＮＡＬ）単位を除去すること及び前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、機器。
【請求項８】
前記複数のシンタックス要素は、複数のｎｅｓｔｉｎｇ＿ｏｐ＿ｉｄｘ[i]シンタックス要素を含み、前記１つ以上のプロセッサは、前記スケーラブルネスティングＳＥＩメッセージから、前記スケーラブルネスティングＳＥＩメッセージ内の前記ｎｅｓｔｉｎｇ＿ｏｐ＿ｉｄｘ[i]シンタックス要素の数−１を特定するシンタックス要素を復号するように構成され、ここにおいて、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素は、前記複数の動作点のそれぞれの動作点に関連付けられたレイヤ識別子のそれぞれのセットを特定する、請求項７に記載の機器。
【請求項９】
前記１つ以上のネストされたＳＥＩメッセージは、仮想参照デコーダ（ＨＲＤ）パラメータのセットを含む、請求項７に記載の機器。
【請求項１０】
前記１つ以上のプロセッサは、前記スケーラブルネスティングＳＥＩメッセージから、前記スケーラブルネスティングＳＥＩメッセージによってカプセル化された、複数のネストされたＳＥＩメッセージを復号するようにさらに構成され、ここにおいて、前記ネストされたＳＥＩメッセージの各々は、前記複数のシンタックス要素によって識別される前記動作点のすべてに適用可能である、請求項７に記載の機器。
【請求項１１】
前記１つ以上のプロセッサは、前記複数のシンタックス要素を復号することの一部として、前記１つ以上のプロセッサが、前記複数のｎｅｓｔｉｎｇ＿ｏｐ＿ｉｄｘ[i]シンタックス要素の各ｎｅｓｔｉｎｇ＿ｏｐ＿ｉｄｘ[i]シンタックス要素に関連して、前記スケーラブルネスティングＳＥＩメッセージから、前記複数の動作点のそれぞれの動作点に関連付けられた最大時間識別子を示すそれぞれの変数を特定するために用いられるそれぞれの第２のシンタックス要素を復号し、前記それぞれの変数が、前記それぞれの第２のシンタックス要素の値−１と等しく設定されるように構成される、請求項８に記載の機器。
【請求項１２】
前記１つ以上のプロセッサは、前記１つ以上のネストされたＳＥＩメッセージが適用される前記複数の動作点における少なくとも１つのそれぞれの動作点について、前記１つ以上のプロセッサが、
前記スケーラブルネスティングＳＥＩメッセージから、第１のシンタックス要素と第２のシンタックス要素とを復号し、
前記第１のシンタックス要素に少なくとも部分的に基づいて、前記それぞれの動作点の最大時間識別子を決定し、
前記第２のシンタックス要素に少なくとも部分的に基づいて、前記それぞれの動作点のレイヤ識別子のセットを決定するように構成される、請求項７に記載の機器。
【請求項１３】
機器であって、前記機器は、
ビデオデータを記憶するための手段と、
符号化されたビデオビットストリーム中のスケーラブルネスティング補足強調情報（ＳＥＩ）メッセージから、前記スケーラブルネスティングＳＥＩメッセージによってカプセル化された各ネストされたＳＥＩメッセージが適用される複数の動作点を識別する複数のシンタックス要素を復号するための手段を備え、ここにおいて、
前記符号化されたビデオビットストリームは、前記ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたいずれのネストされたＳＥＩメッセージ中になく、
前記複数の動作点の各それぞれの動作点について、前記それぞれの動作点に関連付けられたサブビットストリームは、前記符号化されたビデオビットストリームから、前記それぞれの動作点に関連付けられたそれぞれの時間識別子よりも大きい時間識別子をもつ任意のネットワーク抽象化レイヤ（ＮＡＬ）単位を除去すること、及び前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、機器。
【請求項１４】
前記複数のシンタックス要素は、複数のｎｅｓｔｉｎｇ＿ｏｐ＿ｉｄｘ[i]シンタックス要素と複数のｎｅｓｔｉｎｇ＿ｍａｘ＿ｔｅｍｐｏｒａｌ＿ｉｄ＿ｐｌｕｓ１［ｉ］シンタックス要素を備え、前記機器はさらに、前記スケーラブルネスティングＳＥＩメッセージから、前記スケーラブルネスティングＳＥＩメッセージ内の前記ｎｅｓｔｉｎｇ＿ｏｐ＿ｉｄｘ[i]シンタックス要素の数を特定する第１のシンタックス要素を復号するための手段を備え、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素は、前記複数の動作点のそれぞれの動作点に関連付けられたレイヤ識別子のセットを特定し、前記複数のｎｅｓｔｉｎｇ＿ｍａｘ＿ｔｅｍｐｏｒａｌ＿ｉｄ＿ｐｌｕｓ１［ｉ］シンタックス要素の各それぞれのｎｅｓｔｉｎｇ＿ｍａｘ＿ｔｅｍｐｏｒａｌ＿ｉｄ＿ｐｌｕｓ１［ｉ］シンタックス要素は、前記複数の動作点のそれぞれの動作点に関連付けられた最大時間識別子を示すそれぞれの変数を特定するために用いられ、前記それぞれの変数は、前記それぞれのｎｅｓｔｉｎｇ＿ｍａｘ＿ｔｅｍｐｏｒａｌ＿ｉｄ＿ｐｌｕｓ１［ｉ］シンタックス要素の値−１に等しく設定される、請求項１３に記載の機器。
【請求項１５】
前記スケーラブルネスティングＳＥＩメッセージから、前記スケーラブルネスティングＳＥＩメッセージによってカプセル化された、複数のネストされたＳＥＩメッセージを復号するための手段をさらに備え、ここにおいて、前記ネストされたＳＥＩメッセージの各々は、前記複数のシンタックス要素によって識別される前記動作点のすべてに適用可能である、請求項１３に記載の機器。
【請求項１６】
命令を記憶するコンピュータ可読記憶媒体であって、前記命令は、機器によって実行されると、前記機器を、
符号化されたビデオビットストリーム中のスケーラブルネスティング補足強調情報（ＳＥＩ）メッセージから、前記スケーラブルネスティングＳＥＩメッセージによってカプセル化された各ネストされたＳＥＩメッセージが適用される複数の動作点を識別する複数のシンタックス要素を復号するように構成し、ここにおいて、
前記符号化されたビデオビットストリームは、ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたいずれのネストされたＳＥＩメッセージ中になく、
前記複数の動作点の各それぞれの動作点について、前記それぞれの動作点に関連付けられたサブビットストリームは、前記符号化されたビデオビットストリームから、前記それぞれの動作点に関連付けられたそれぞれの時間識別子よりも大きい時間識別子をもつ任意のネットワーク抽象化レイヤ（ＮＡＬ）単位を除去すること及び前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、
コンピュータ可読記憶媒体。
【請求項１７】
前記複数のシンタックス要素は、複数のｎｅｓｔｉｎｇ＿ｏｐ＿ｉｄｘ[i]シンタックス要素と複数のｎｅｓｔｉｎｇ＿ｍａｘ＿ｔｅｍｐｏｒａｌ＿ｉｄ＿ｐｌｕｓ１［ｉ］シンタックス要素を備え、前記命令はさらに、
前記スケーラブルネスティングＳＥＩメッセージから、前記スケーラブルネスティングＳＥＩメッセージ内の前記ｎｅｓｔｉｎｇ＿ｏｐ＿ｉｄｘ[i]シンタックス要素の数を特定する第１のシンタックス要素を復号するように前記機器を構成し、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素は、前記複数の動作点のそれぞれの動作点に関連付けられたレイヤ識別子のセットを特定し、各それぞれのｎｅｓｔｉｎｇ＿ｍａｘ＿ｔｅｍｐｏｒａｌ＿ｉｄ＿ｐｌｕｓ１［ｉ］シンタックス要素は、前記複数の動作点のそれぞれの動作点に関連付けられた最大時間識別子を示すそれぞれの変数を特定するために用いられ、前記それぞれの変数は、前記それぞれのｎｅｓｔｉｎｇ＿ｍａｘ＿ｔｅｍｐｏｒａｌ＿ｉｄ＿ｐｌｕｓ１［ｉ］シンタックス要素の値−１に等しく設定される請求項１６に記載のコンピュータ可読記憶媒体。
【請求項１８】
前記命令は、前記機器を、前記スケーラブルネスティングＳＥＩメッセージから、前記スケーラブルネスティングＳＥＩメッセージによってカプセル化された、複数のネストされたＳＥＩメッセージを復号するようにさらに構成し、ここにおいて、前記ネストされたＳＥＩメッセージの各々は、前記複数のシンタックス要素によって識別される前記動作点すべてに適用可能である、請求項１６に記載のコンピュータ可読記憶媒体。
【請求項１９】
ビデオデータを符号化するための方法であって、前記方法は、
スケーラブルネスティング補足強調情報（ＳＥＩ）によってカプセル化された各ネストされたＳＥＩメッセージが適用される複数の動作点を識別する複数のシンタックス要素を含む前記スケーラブルネスティングＳＥＩメッセージを生成することを備えることと、ここにおいて、
符号化されたビデオビットストリームは、前記ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたいずれのネストされたＳＥＩメッセージ中になく、
前記複数の動作点の各それぞれの動作点について、前記それぞれの動作点に関連付けられたサブビットストリームは、前記符号化されたビットストリームから、前記それぞれの動作点に関連付けられたそれぞれの時間識別子よりも大きい時間識別子をもつ任意のネットワーク抽象化レイヤ（ＮＡＬ）単位を除去すること及び前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、
前記符号化されたビデオビットストリーム中で、前記スケーラブルネスティングＳＥＩメッセージを信号伝達することとを備える方法。
【請求項２０】
前記複数のシンタックス要素は、複数のｎｅｓｔｉｎｇ＿ｏｐ＿ｉｄｘ[i]シンタックス要素を含み、前記スケーラブルネスティングＳＥＩメッセージは、前記スケーラブルネスティングＳＥＩメッセージ内の前記ｎｅｓｔｉｎｇ＿ｏｐ＿ｉｄｘ[i]シンタックス要素の数−１を特定するシンタックス要素を含み、ここにおいて、前記複数のｎｅｓｔｉｎｇ＿ｏｐ＿ｉｄｘ[i]シンタックス要素の各ｎｅｓｔｉｎｇ＿ｏｐ＿ｉｄｘ[i]シンタックス要素は、前記複数の動作点のそれぞれの動作点に関連付けられたレイヤ識別子のそれぞれのセットを特定する、請求項１９に記載の方法。
【請求項２１】
前記１つ以上のネストされたＳＥＩメッセージは、仮想参照デコーダ（ＨＲＤ）パラメータのセットを含む、請求項１９に記載の方法。
【請求項２２】
前記スケーラブルネスティングＳＥＩメッセージに、前記スケーラブルネスティングＳＥＩメッセージによってカプセル化された、複数のネストされたＳＥＩメッセージを含めることをさらに備え、ここにおいて、前記ネストされたＳＥＩメッセージの各々は、前記複数のシンタックス要素によって識別される前記動作点のすべてに適用可能である、請求項１９に記載の方法。
【請求項２３】
前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素に関連して、前記スケーラブルネスティングＳＥＩメッセージ中に、前記複数の動作点のそれぞれの動作点に関連付けられた最大時間識別子を示すそれぞれの変数を特定するために用いられるそれぞれの第２のシンタックス要素を含めることをさらに備え、前記それぞれの変数は、前記第２のシンタックス要素の値−１に等しく設定される、請求項２０に記載の方法。
【請求項２４】
前記スケーラブルネスティングＳＥＩメッセージを生成することは、前記１つ以上のネストされたＳＥＩメッセージが適用される前記複数の動作点における少なくとも１つのそれぞれの動作点について、前記スケーラブルネスティングＳＥＩメッセージ中に、第１のシンタックス要素と第２のシンタックス要素とを含めることを備え、前記第１のシンタックス要素は前記それぞれの動作点の最大時間識別子を示し、前記第２のシンタックス要素は前記それぞれの動作点のレイヤ識別子のセットを示す、請求項１９に記載の方法。
【請求項２５】
ビデオ符号化機器であって、前記ビデオ符号化機器は、
ビデオデータを記憶するように構成された記憶媒体と、
１つ以上のプロセッサとを備え、前記１つ以上のプロセッサは、
スケーラブルネスティング補足強調情報（ＳＥＩ）によってカプセル化された各ネストされたＳＥＩメッセージが提供される複数の動作点を識別する複数のシンタックス要素を含む前記スケーラブルネスティングＳＥＩメッセージを生成し、ここにおいて、
符号化されたビデオビットストリームは、前記ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたネストされたＳＥＩメッセージ中のいずれにもなく、
前記複数の動作点の各それぞれの動作点について、前記それぞれ動作点に関連付けられたサブビットストリームは、前記符号化されたビデオビットストリームから、前記それぞれの動作点に関連付けられたそれぞれの時間識別子よりも大きい時間識別子をもつ任意のネットワーク抽象化レイヤ（ＮＡＬ）単位を除去すること及び前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、
前記符号化されたビデオビットストリーム中で、前記スケーラブルネスティングＳＥＩメッセージを信号伝達するように構成される、ビデオ符号化機器。
【請求項２６】
前記複数のシンタックス要素は、複数のｎｅｓｔｉｎｇ＿ｏｐ＿ｉｄｘ[i]シンタックス要素を含み、前記スケーラブルネスティングＳＥＩメッセージは、前記スケーラブルネスティングＳＥＩメッセージ内の前記ｎｅｓｔｉｎｇ＿ｏｐ＿ｉｄｘ[i]シンタックス要素の数−１を特定するシンタックス要素を含み、ここにおいて、前記複数のｎｅｓｔｉｎｇ＿ｏｐ＿ｉｄｘ[i]シンタックス要素の各ｎｅｓｔｉｎｇ＿ｏｐ＿ｉｄｘ[i]シンタックス要素は、前記複数の動作点のそれぞれの動作点に関連付けられたレイヤ識別子のそれぞれのセットを特定する、請求項２５に記載のビデオ符号化機器。
【請求項２７】
前記１つ以上のネストされたＳＥＩメッセージは、仮想参照デコーダ（ＨＲＤ）パラメータのセットを含む、請求項２５に記載のビデオ符号化機器。
【請求項２８】
前記１つ以上のプロセッサは、前記スケーラブルネスティングＳＥＩメッセージに、前記スケーラブルネスティングＳＥＩメッセージによってカプセル化された、複数のネストされたＳＥＩメッセージを含めるように構成され、ここにおいて、前記ネストされたＳＥＩメッセージの各々は、前記複数のシンタックス要素によって識別される前記動作点のすべてに適用可能である、請求項２５に記載のビデオ符号化機器。
【請求項２９】
前記１つ以上のプロセッサは、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素に関連して、前記１つ以上のプロセッサが、前記スケーラブルネスティングＳＥＩメッセージ中に、前記複数の動作点のそれぞれの動作点に関連付けられた最大時間識別子を示すそれぞれの変数を特定するために用いられるそれぞれの第２のシンタックス要素を含めるように構成され、前記それぞれの変数は、前記第２のシンタックス要素の値−１に等しく設定される、請求項２６に記載のビデオ符号化機器。
【請求項３０】
前記１つ以上のプロセッサは、前記１つ以上のネストされたＳＥＩメッセージが適用される前記複数の動作点における少なくとも１つのそれぞれの動作点について、前記１つ以上のプロセッサが、前記スケーラブルネスティングＳＥＩメッセージ中に、第１のシンタックス要素と第２のシンタックス要素とを含めるように構成され、前記第１のシンタックス要素は前記それぞれの動作点の最大時間識別子を示し、前記第２のシンタックス要素は前記それぞれの動作点のレイヤ識別子のセットを示す、請求項２５に記載のビデオ符号化機器。
【請求項３１】
ビデオ符号化機器であって、前記ビデオ符号化機器は、
スケーラブルネスティング補足強調情報（ＳＥＩ）メッセージによってカプセル化された各ネストされたＳＥＩメッセージが適用される複数の動作点を識別する複数のシンタックス要素を含む前記スケーラブルネスティングＳＥＩメッセージを生成するための手段と、ここにおいて、
符号化されたビデオビットストリームは、ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたいずれのネストされたＳＥＩメッセージ中になく、
前記複数の動作点の各それぞれの動作点について、前記それぞれの動作点に関連付けられたサブビットストリームは、前記符号化されたビデオビットストリームから、前記それぞれの動作点に関連付けられたそれぞれの時間識別子よりも大きい時間識別子をもつ任意のネットワーク抽象化レイヤ（ＮＡＬ）単位を除去すること及び前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、
前記符号化されたビデオビットストリーム中で、前記スケーラブルネスティングＳＥＩメッセージを信号伝達するための手段とを備えるビデオ符号化機器。
【請求項３２】
前記複数のシンタックス要素は、複数のｎｅｓｔｉｎｇ＿ｏｐ＿ｉｄｘ[i]シンタックス要素と複数のｎｅｓｔｉｎｇ＿ｍａｘ＿ｔｅｍｐｏｒａｌ＿ｉｄ＿ｐｌｕｓ１［ｉ］シンタックス要素を備え、前記スケーラブルネスティングＳＥＩメッセージは、前記スケーラブルネスティングＳＥＩメッセージ内の前記ｎｅｓｔｉｎｇ＿ｏｐ＿ｉｄｘ[i]シンタックス要素の数を特定する第１のシンタックス要素を含み、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素は、前記複数の動作点のそれぞれの動作点に関連付けられたレイヤ識別子のセットを特定し、前記複数のｎｅｓｔｉｎｇ＿ｍａｘ＿ｔｅｍｐｏｒａｌ＿ｉｄ＿ｐｌｕｓ１［ｉ］シンタックス要素の各ｎｅｓｔｉｎｇ＿ｍａｘ＿ｔｅｍｐｏｒａｌ＿ｉｄ＿ｐｌｕｓ１［ｉ］シンタックス要素は、前記複数の動作点のそれぞれの動作点に関連付けられた最大時間識別子を示すそれぞれの変数を特定するために用いられ、前記それぞれの変数は、前記それぞれのｎｅｓｔｉｎｇ＿ｍａｘ＿ｔｅｍｐｏｒａｌ＿ｉｄ＿ｐｌｕｓ１［ｉ］シンタックス要素の値−１に等しく設定される、請求項３１に記載のビデオ符号化機器。
【請求項３３】
前記スケーラブルネスティングＳＥＩメッセージは、前記スケーラブルネスティングＳＥＩメッセージによってカプセル化された、複数のネストされたＳＥＩメッセージを含み、ここにおいて、前記ネストされたＳＥＩメッセージの各々は、前記複数のシンタックス要素によって識別される前記動作点のすべてに適用可能である、請求項３１に記載のビデオ符号化機器。
【請求項３４】
命令を記憶するコンピュータ可読記憶媒体であって、前記命令は、ビデオ符号化機器によって実行されると、前記ビデオ符号化機器を、
スケーラブルネスティング補足強調情報（ＳＥＩ）メッセージによってカプセル化された各ネストされたＳＥＩメッセージが適用される複数の動作点を識別する複数のシンタックス要素を含む前記スケーラブルネスティングＳＥＩメッセージを生成し、ここにおいて、
符号化されたビデオビットストリームは、ビデオデータのコード化されたピクチャを備え、
前記スケーラブルネスティングＳＥＩメッセージは、前記スケーラブルネスティングＳＥＩメッセージによってカプセル化された１つ以上のネストされたＳＥＩメッセージを含み、
前記複数のシンタックス要素は、前記スケーラブルネスティングＳＥＩメッセージによってカプセル化されたいずれのネストされたＳＥＩメッセージ中になく、
前記複数の動作点の各それぞれの動作点について、前記それぞれの動作点に関連付けられたサブビットストリームは、前記符号化されたビデオビットストリームから、前記それぞれの動作点に関連付けられたそれぞれの時間識別子よりも大きい時間識別子をもつ任意のネットワーク抽象化レイヤ（ＮＡＬ）単位を除去するとともに、前記符号化されたビデオビットストリームから、前記それぞれの動作点に関連付けられたレイヤ識別子のそれぞれのセット中にないレイヤ識別子をもつ任意のＮＡＬ単位を除去することによって導出可能である、
前記符号化されたビデオビットストリーム中で、前記ＳＥＩメッセージを信号伝達するように構成する、コンピュータ可読記憶媒体。
【請求項３５】
前記複数のシンタックス要素は、複数のｎｅｓｔｉｎｇ＿ｏｐ＿ｉｄｘ[i]シンタックス要素と複数のｎｅｓｔｉｎｇ＿ｍａｘ＿ｔｅｍｐｏｒａｌ＿ｉｄ＿ｐｌｕｓ１［ｉ］シンタックス要素を備え、前記スケーラブルネスティングＳＥＩメッセージは、前記スケーラブルネスティングＳＥＩメッセージ内の前記ｎｅｓｔｉｎｇ＿ｏｐ＿ｉｄｘ[i]シンタックス要素の数を特定する第１のシンタックス要素を含み、前記複数のｎｅｓｔｉｎｇ＿ｏｐ＿ｉｄｘ[i]シンタックス要素の各それぞれのｎｅｓｔｉｎｇ＿ｏｐ＿ｉｄｘ[i]シンタックス要素は、前記複数の動作点のそれぞれの動作点に関連付けられたレイヤ識別子のセットを特定し、前記複数のｎｅｓｔｉｎｇ＿ｍａｘ＿ｔｅｍｐｏｒａｌ＿ｉｄ＿ｐｌｕｓ１［ｉ］シンタックス要素の各ｎｅｓｔｉｎｇ＿ｍａｘ＿ｔｅｍｐｏｒａｌ＿ｉｄ＿ｐｌｕｓ１［ｉ］シンタックス要素は、前記複数の動作点のそれぞれの動作点に関連付けられた最大時間識別子を示すそれぞれの変数を特定するために用いられ、前記それぞれの変数は、前記それぞれのｎｅｓｔｉｎｇ＿ｍａｘ＿ｔｅｍｐｏｒａｌ＿ｉｄ＿ｐｌｕｓ１［ｉ］シンタックス要素の値−１に等しく設定される、請求項３４に記載のコンピュータ可読記憶媒体。
【請求項３６】
前記スケーラブルネスティングＳＥＩメッセージは、前記スケーラブルネスティングＳＥＩメッセージによってカプセル化された、複数のネストされたＳＥＩメッセージを含み、ここにおいて、前記ネストされたＳＥＩメッセージの各々は、前記複数のシンタックス要素によって識別される前記動作点すべてに適用可能である、請求項３４に記載のコンピュータ可読記憶媒体。
【請求項３７】
前記機器は、
集積回路、
マイクロプロセッサ、または
ワイヤレス通信機器、のうちの少なくとも１つを備える、請求項７に記載の機器。
【請求項３８】
前記復号されたビデオデータを表示するように構成された表示器をさらに備える、請求項７に記載の機器。
【請求項３９】
前記ビデオ符号化機器は、
集積回路、
マイクロプロセッサ、または
ワイヤレス通信機器、のうちの少なくとも１つを備える、請求項２５に記載のビデオ符号化機器。
【請求項４０】
前記ビデオデータを取得するように構成されたカメラをさらに備える、請求項２５に記載のビデオ符号化機器。